(57)【要約】【課題】大型化を抑制しつつ羽根部材の検出精度を確保することを目的とするカメラ用フォーカルプレンシャッタ。【解決手段】被写体光路用の開口部を有する地板と、地板に回転可能に支持されたアーム及びアームの先端側に向かって回転可能に取り付けられた複数枚の羽根部材とからなるシャッタ羽根を有し、少なくとも１枚の羽根部材の先端側には、光学検出手段の検出光路用の孔の縁部に対して平行とはならない端部を形成するようにした。【選択図】図４
2016053702.tif 000002
【特許請求の範囲】
【請求項１】
被写体光路用の開口部を有し両者間に羽根室を形成する二つの地板と、前記地板の一方に回転可能に支持されたアーム及び該アームの先端部側に向けて順に取り付けられた複数枚の羽根部材とからなるシャッタ羽根と、前記シャッタ羽根の作動状態を検出する光学検出手段と、前記羽根室に配置されていて前記光学検出手段の検出光を通過させる孔を形成しており前記羽根部材の先端部側を摺動させる羽根押さえ板とを備え、前記羽根部材の少なくとも１枚には、その先端部側に前記検出光路用の孔の縁部に対して平行とはならない端部が形成されていることを特徴とする、カメラ用フォーカルプレンシャッタ。
【請求項２】
前記二つの地板の間には、二つの羽根室を形成する中間板が配置されていて、各々の羽根室には先羽根と後羽根が配置されており、前記先羽根と後羽根の羽根部材のうちの少なくとも１枚には前記端部が形成されているようにしたことを特徴とする請求項１に記載のカメラ用フォーカルプレンシャッタ。
【請求項３】
前記検出光路用の孔は、前記端部を形成した羽根部材と隣接する前記アームの基端部側に取り付けられた羽根部材とにより閉鎖されるようにしたことを特長とする請求項１または２に記載のカメラ用フォーカルプレンシャッタ。
【請求項４】
前記羽根押さえ板が、前記地板と合成樹脂材料により一体成型されていることを特徴とする請求項１乃至３のいずれかに記載のカメラ用フォーカルプレンシャッタ。
【請求項５】
前記請求項１乃至４のいずれかに記載のカメラ用フォーカルプレンシャッタを備えていることを特徴とするカメラ。
【発明の詳細な説明】
【技術分野】
【０００１】
本発明は、カメラ用フォーカルプレンシャッタ、及びそれを備えたカメラに関する。
【背景技術】
【０００２】
従来、このような分野の技術として、例えば以下の特許文献１がある。この特許文献１には、開口部１ａを有した地板１と、地板１に支持されたアームと、開口を開閉可能にアームに連結された複数の羽根と、羽根の状態を検出する検出手段としてのフォトリフレクタ１９を備えたものがある。フォトリフレクタ１９は、開口部１ａを挟んでアームと対向する位置に配置されていて、地板１に形成された貫通する検出光路用の孔１ｍを塞ぐようにして取り付けられている。また、中間板にも、対応する位置に方形をして且つ貫通した孔２ｂが形成されていて、更に、カバー板には、それらの孔１ｍ、２ｂと略同じ平面形状をした凹部３ｅが形成されており、凹部３ｅの底部に反射シート２０が貼付されている。そして、フォトリフレクタ１９には、周知のように、その発光部から出射された検出光が、カバー板に貼付された反射シート２０で反射され、受光部に入射するように構成されている。
【先行技術文献】
【特許文献】
【０００３】
【特許文献１】特開平１１−３５２５４４号公報
【発明の概要】
【発明が解決しようとする課題】
【０００４】
しかしながら、特許文献１に記載のフォーカルプレンシャッタは、フォトリフレクタで羽根の状態を適切に検出するために、羽根はフォトリフレクタから出射した光を通過させる検出光路用の孔や反射シートを取り付けた凹部を、充分に覆うだけの大きさが必要になる。そのために、開口部を開閉する羽根の作動方向に対して直交する長手方向に延びた羽根を採用しているため、アームを介して羽根を支持する地板も羽根の長手方向に大型化し、これによりフォーカルプレンシャッタ自体が大型化してしまう問題がある。
【０００５】
本発明は、上記事情に対処することを課題の一例とするものである。すなわち、フォーカルプレンシャッタの大型化を抑制しつつ羽根の状態の検出精度を確保したフォーカルプレンシャッタ及びそれを備えたカメラを提供することを目的とする。
【課題を解決するための手段】
【０００６】
上記の目的を達成するために、本発明によるカメラ用フォーカルプレンシャッタは、被写体光路用の開口部を有し両者間に羽根室を形成する二つの地板と、地板の一方に回転可能に支持されたアーム及びそのアームの先端部側に向けて順に取り付けられた複数枚の羽根部材とからなるシャッタ羽根と、シャッタ羽根の作動状態を検出する光学検出手段と、羽根室に配置されていて光学検出手段の検出光を通過させる孔を形成しており羽根部材の先端部側を摺動させる羽根押さえ板とを備え、羽根部材の少なくとも１枚には、その先端部側に検出光路用の孔の縁部に対して平行とはならない端部が形成されていることを特徴とする。
【０００７】
また、本発明のカメラ用フォーカルプレンシャッタは、二つの地板の間には、二つの羽根室を形成する中間板が配置されていて、各々の羽根室には先羽根と後羽根が配置されており、先羽根と後羽根の羽根部材のうちの少なくとも１枚には検出光路用の孔の縁部に対して平行とはならない端部が形成されているようにすると好ましい。
【０００８】
また、本発明のカメラ用フォーカルプレンシャッタは、検出光路用の孔は、端部を形成した羽根部材と隣接するアームの基端部側に取り付けられた羽根部材とにより閉鎖されるようにすると好ましい。
【０００９】
また、発明のカメラ用フォーカルプレンシャッタは、羽根押さえ板が、地板と合成樹脂材料により一体成型されているようにすると好ましい。
【００１０】
更に、本発明のカメラは、上記発明のカメラ用フォーカルプレンシャッタを備えていることを特徴とする。
【発明の効果】
【００１１】
本発明によれば、シャッタの大型化を抑制しつつ、シャッタ羽根の作動状態の検出精度を確保したフォーカルプレンシャッタ及びカメラを提供できる。
【図面の簡単な説明】
【００１２】
【図１】本実施例におけるフォーカルプレンシャッタの露光作動終了後の状態を示す平面図。
【図２】図１における各部材の重なり関係を示す断面図。
【図３】本実施例におけるフォーカルプレンシャッタのセット作動完了後の状態を示す平面図。
【図４】羽根の先端側と中間板及び羽根押さえ板に形成された検出光を通過させる孔との関係を示す要部拡大図
【発明を実施するための形態】
【００１３】
本発明の好適な実施の形態を、図面を参照しつつ説明する。
先ず、図１と図２を用いて本発明の実施形態の構成を説明する。地板１には、その略中央に被写体光路用の開口部１ａが形成されている。また地板１の背面側（図の裏面側）には、地板１と所定の間隔を空けて、周知の中間板２と補助地板３が取り付けられており、地板１と中間板の２の間にシャッタ羽根としての先羽根４を配置する羽根室を、中間板２と補助地板３の間にシャッタ羽根としての後羽根５を配置する羽根室を、それぞれ構成している。また、先羽根４の羽根室には先羽根用羽根押さえ板６、後羽根５の羽根室には後羽根用羽根押さえ板７が各々配置されているが、周知のため詳しい説明は省略する。
【００１４】
また、地板１には、円弧状の二つの長孔１ｂ、１ｃが形成されており、それらの下方端部には、周知の緩衝部材８，９が取り付けられている。更に、地板１の羽根室側とは反対側の面には、軸１ｄ、１ｅが立設されていて、羽根室側の面には、軸１ｆ、１ｇ、１ｈ、１ｉが立設されている。これらの軸のうち、軸１ｄと軸１ｆ、軸１ｅと軸１ｈは、地板１の羽根室側とその反対側（図の表面側）に同心に形成されている。また、中間板２と補助地板３にも、地板の二つの長孔１ｂ、１ｃに対応した位置に、それぞれ同形状の長孔が設けられている。
【００１５】
次に、地板１の羽根室側とは反対側の面に取り付けられている部材の説明をする。地板１の羽根室側とは反対側の面に立設されている軸１ｄには先羽根用駆動部材が、また軸１ｅには後羽根用駆動部材が、それぞれ露光作動方向にばねで付勢されるようにして回転可能に取り付けられている。更に、先羽根用駆動部材と後羽根用駆動部材は、それぞれ駆動ピン１０、１１を有していて、それら駆動ピン１０，１１は、長孔１ｂ、１ｃを貫通している。しかしながら、これらの構成は周知であるため、駆動ピン１０，１１のみを図示している。
【００１６】
次に、地板１の羽根室側の面に取り付けられている部材の説明をする。
地板１の羽根室側の面には、シャッタ羽根としての先羽根４及び後羽根５が回転可能に取り付けられている。そして、先羽根４は、二つのアーム１２，１３と、それらアームの長さ方向に合計八つのうち二つにだけ符号を付けた連結軸１６を用いて順に枢支された４枚の羽根部材４ａ，４ｂ，４ｃ，４ｄとで構成されていて、最先端に枢支された羽根４ａがスリット形成羽根になっている。そして、二つのアーム１２，１３は、基端部をそれぞれ地板１の羽根室側の面に立設されている軸１ｆ、１ｇに回転可能に取り付けられている。
また、アーム１２には、孔１２ａが形成されていて、図示を省略した上記の先羽根用駆動部材の駆動ピン１０が嵌合されている。
【００１７】
また、各羽根部材４ａ，４ｂ，４ｃ，４ｄの先端部の作動領域には、先羽根用羽根押さえ板６が設けられている。周知のように羽根部材４ａ，４ｂ，４ｃ，４ｄは、重畳されているときと、展開されているときとでは、光軸方向に必要とする間隙の最小寸法が異なってくる。そのため、羽根部材は重畳されているときには相互の重なりが密になっていて光軸方向に対する変位が制限されているが、展開されていくにしたがい徐々自由度が増し、光軸方向への変位が可能となっていく。そして、その変位が適正な作動の妨げのもとになる。そのため、羽根押さえ板６は、中間板２と連携し、作動中に各羽根部材相互間の重なりを密にすることにより、光漏れや後述する羽根のあばれ現象を抑制するようにしている。
【００１８】
他方、後羽根５は、二つのアーム１４，１５と、それらアームの長さ方向に合計八つのうちの二つにのみ符号を付けた連結軸１７を用いて順に枢支された４枚の羽根部材５ａ，５ｂ，５ｃ，５ｄとで構成されていて、最先端に枢支された羽根５ａがスリット形成羽根になっている。そして、二つのアーム１４，１５は、基端部をそれぞれ地板１の羽根室側の面に立設された軸１ｈ、１ｉに回転可能に取り付けられている。また、アーム１４には、孔１４ａが形成されていて、図示を省略した上記の後羽根用駆動部材の駆動ピン１１が嵌合されている。そして、各羽根部材５ａ，５ｂ，５ｃ，５ｄの先端部の作動領域には、上記した先羽根用羽根押さえ板６と同様にして後羽根用羽根押さえ板７が設けられている。
【００１９】
更に、本実施例においては、先羽根４と後羽根５の作動状態が検出できるような検出手段が構成されている。即ち、地板１には検出手段としてフォトリフレクタ１８が取り付けられている。周知のように、フォトリフレクタ１８には、発光部と受光部が設けられていて、その発光部から照射された検出光が、補助地板３に貼付された反射シート１９で反射され、受光部に入射するように構成されている。そのため、各羽根部材の先端部側が、中間板２と、各羽根押さえ板６，７によって挟まれているため、中間板２は方形をした検出光路用の孔２ｂが形成されており、また各羽根押さえ板６，７にも上記の孔２ａと位置を合わせるようにして形成された方形の検出光路用の孔６ａ，７ａがそれぞれ形成されている。それによって、フォトリフレクタ１８は、補助地板３に取けられた反射シート１９からの反射光を検出し得るようになっている。
【００２０】
次に本実施例の作動を説明する。
図１に示されるように露光作動が終了した直後の状態においては、先羽根４の４枚の羽根部材４ａ，４ｂ，４ｃ，４ｄは重畳されて、開口部１ａの下方位置に格納されており、後羽根５の４枚の羽根部材５ａ，５ｂ，５ｃ，５ｄは展開状態となって開口部１ａを覆っている。その状態から、周知のため図示しないモータ及びモータと連動するセット部材が回転されると、セット部材により先羽用駆動部材と後羽根用駆動部材が各々回転させられる。そのため、先羽根の４枚の羽根４ａ，４ｂ，４ｃ，４ｄは、重畳状態から重なり量を減じつつ上方へ展開されていく。また、後羽根５の４枚の羽根部材５ａ，５ｂ，５ｃ，５ｄは、展開状態から重なり量を大きくしつつ上方へ重畳されていく。このようにして先羽根４と後羽根５がセット作動され、やがて先羽根の羽根部材４ａ，４ｂ，４ｃ，４ｄが開口部１ａを覆ったセット作動完了状態が図３に示されている。
【００２１】
その後、撮影に際して、カメラ本体のレリーズボタンが押されると、図示しない各駆動部材が順に駆動ばねの付勢力により作動させられることによって、先羽根４と後羽根５が順に露光作動を行い、図１に示された露光作動終了状態に復帰する。
【００２２】
ところで、先羽根４と後羽根５をセット作動完了状態、及び露光作動終了状態に作動させる時、羽根部材は高速で作動させられることになる。そのため、各羽根部材には、本来の走行方向へ移動させる力が作用するだけではなく、走行方向とは直交する方向（光軸方向）へ作用する力も含めて、複雑な力が作用することになる。更に、各羽根部材が作動終了時にストッパに当接することにより、各羽根部材は、アームの回転中心よりも先端部側に慣性が大きく作用するため走行方向に撓まされてから羽根部材自体の復元性により復元することになる。そして、各根部材は、極めて薄い材料で製作されていることから、そのような複雑な力の作用によって、傾きや、撓みや、捩れなど（以下、あばれ現象という）を発生してしまう。
【００２３】
そして、そのようなあばれ現象による影響は、シャッタ羽根が展開状態になったときに大きく受けるもので、露光作動終了時における影響は、先羽根４よりも後羽根５の方が大きい。また、セット作動完了時には、後羽根５よりも先羽根４の方が影響を受け易いことになる。そのため、シャッタの小型化のために羽根部材の長手方向を短くしただけでは、セット作動完了時や露光作動終了時に、中間板や各羽根押さえ板に形成されたフォトリフレクタ１８の検出光路用の孔に、あばれ現象により撓んだ羽根部材の先端側端面が接触してしまい、シャッタの誤動作や、隣接する羽根間に隙間が生じて露光不良となる原因となってしまう。
【００２４】
しかし、本実施例においては、そのようにして検出光路の孔に羽根部材の先端部が撓んで接触するようなことがあったとしても、上記のような問題を防止できるようになっている。即ち、図４（ａ）に示されるように、露光作動終了時、検出光路用の孔２ｂ，６ａと重なる後羽根５の羽根部材５ｂには、第一端部５ｂ−１、第二端部５ｂ−２、第三端部５ｂ−３、第４端部５ｂ−４が形成されていて、第二端部５ｂ−２は、フォトリフレクタ１８の検出光路用の孔２ｂ、６ａの縁部に対して平行とはならないように形成されている。このような羽根部材の先端部側の形状により、図１に示された露光作動完了時、羽根部材５ｂの先端部側があばれ現象により検出光路用の孔と接触したとしても、羽根の端部が検出光路用の孔に噛み込むことなくスムースに所定の露光作動完了位置に作動させることができる。そのため、シャッタ羽根の長手方向を短くしても検出精度を確保しつつシャッタの小型化ができる。
【００２５】
また、同様に、図４（ｂ）に示されるように、先羽根４の羽根部材４ｂには、第一端部４ｂ−１、第二端部４ｂ−２、第三端部４ｂ−３、第４端部４ｂ−４が形成されていて、第二端部４ｂ−２は、フォトリフレクタ１８の検出光路用の孔２ｂ、７ａの縁部に対して平行とはならないように形成されている。このような羽根部材の先端部側の形状により、図３に示されたセット作動完了時、羽根部材４ｂの先端部側があばれ現象により検出光路用の孔と接触したとしても、羽根の端部が検出光路用の孔に噛み込むことなくスムースに所定のセット作動完了位置に作動させることができる。そのため、シャッタ羽根の長手方向を短くしても検出精度を確保しつつシャッタの小型化ができる。
【００２６】
また、図４に示されたように、後羽根５の羽根部材５ｂと先羽根４の羽根部材４ｂの各々の先端側にもうけた傾斜端部は、検出光路用の孔６ａ，２ｂ，７ａを完全には覆っていない。これは羽根部材５ｂ，４ｂと隣接するアームの基端部側にアームに連結された羽根部材５ｃ，４ｃと協同して検出光路用の孔を閉鎖するからである。このようにすることで、大型化する羽根部材を一層小型にすることが可能となる。
【００２７】
尚、本実施例においては、各羽根室内に各々羽根押さえ板を別部材として配置したが、地板１を合成樹脂にて形成する時、上記の特許文献１のように羽根押さえ板を地板１と一体的に成型するようにしても差し支えない。
【００２８】
また、本実施例においては、シャッタ羽根として先羽根と後羽根の両方を設けるようにしたが、少なくとも一方の羽根のみを設けるようにしても差し支えない。
【産業上の利用可能性】
【００２９】
以上述べたように、本発明のカメラ用フォーカルプレンシャッタは、シャッタの大型化を抑えつつシャッタ羽根の検出精度を確保できるため、一眼カメラ、ミラーレスカメラ等のカメラに適用できる。
【符号の説明】
【００３０】
１                          地板
２                          補助地板
３                          中間板
１ａ，２ａ，３ａ            開口部
４                          先羽根
５                          後羽根
６，７                      羽根押さえ板
２ｂ，６ａ，７ａ            検出光路用の孔  
１２，１３，１４，１５      アーム
１８                        フォトリフレクタ（光学検出手段）
１９                        反射板
【図１】
2016053702.tif 000003
【図２】
2016053702.tif 000004
【図３】
2016053702.tif 000005
【図４】
2016053702.tif 000006